(57)【要約】【課題】  ＨＳＤＰＡ／ＭＢＭＳサービス受信用のリソースを備える携帯端末と携帯通信網の基地局との間のダウンリンク伝送チャネルにおける干渉除去方法を提供する。【解決手段】  この干渉除去方法は、通信網が、端末に対し、ダウンリンク伝送チャネル上で干渉を発生させる可能性があるチャネルのリストを通知するステップと、端末が、チャネルリストから最大レベルの干渉を発生するチャネルを特定し、チャネルの信号を用いて干渉を除去するステップを含む。【選択図】  図１
2009515374.tif 000002
【特許請求の範囲】
【請求項１】
ＨＳＤＰＡ／ＭＢＭＳサービスを受信するためのリソースを備える携帯端末と携帯通信網の基地局との間のダウンリンク伝送チャネルにおける干渉除去方法であって、
前記携帯通信網が、前記携帯端末に対し、前記ダウンリンク伝送チャネル上で干渉を発生させる可能性があるチャネルのリストを通知するステップと、
前記携帯端末が、前記リストから最大レベルの干渉を発生するチャネルを特定し、前記チャネルの信号を用いて前記干渉を除去するステップとを含むことを特徴とする干渉除去方法。
【請求項２】
前記携帯通信網が、前記リストを、ＨＳＤＰＡおよびＭＢＭＳサービスの専用チャネルを介して前記携帯端末に送信することを特徴とする請求項１に記載の干渉除去方法。
【請求項３】
前記携帯端末において、
干渉のレベルを周期的に測定し、
測定したレベルを予め設定された閾値と比較し、
測定したレベルが前記閾値を下回る場合、前記携帯通信網内の地理的位置を考慮するため、最大レベルの干渉を発生するチャネルを再度特定することを特徴とする請求項１に記載の干渉除去方法。
【請求項４】
携帯通信網において配信されるＨＳＤＰＡおよびＭＢＭＳサービスを受信するためのリソースを備える携帯端末であって、
前記ＨＳＤＰＡおよびＭＢＭＳサービスを受信するリソースが、ダウンリンク伝送チャネル上において前記携帯端末で発生する干渉を除去する手段を含むことを特徴とする携帯端末。
【請求項５】
前記携帯通信網によって提供されたリストのチャネルから最大レベルの干渉を発生するチャネルを特定する手段を備えることを特徴とする請求項４に記載の携帯端末。
【請求項６】
干渉のレベルを周期的に測定する手段と、
測定したレベルを予め設定された閾値と比較する手段と、
前記携帯端末の携帯通信網における位置が変わった場合、最大レベルの干渉を発生するチャネルを再度特定する手段とを含むことを特徴とする請求項５に記載の携帯端末。
【発明の詳細な説明】
【技術分野】
【０００１】
本発明は、電気通信分野に属し、特に、携帯通信網を介してＨＳＤＰＡおよびＭＢＭＳサービスを受信するためのリソースを備える携帯端末の干渉除去処理に関する。本発明はさらに、ＨＳＤＰＡおよびＭＢＭＳサービスを受信するためのリソースを備える携帯端末に関する。
【背景技術】
【０００２】
ＵＭＴＳ（ユニバーサル移動電話システム）においては、端末と無線アクセスネットワーク間の無線インターフェース（ＵＴＲＡＮ：Ｕｎｉｖｅｒｓａｌ  Ｔｅｒｒｅｓｔｒｉａｌ  Ｒａｄｉｏ  Ｎｅｔｗｏｒｋ）は、以下の３つの主要プロトコル層で構成される。
−物理層（レイヤ１）
−リンク層（レイヤ２）
−無線リソース制御層（レイヤＲＲＣ）
【０００３】
レイヤＲＲＣは、ＵＴＲＡＮと携帯端末間の信号管理と、無線インターフェース上のレイヤ１およびレイヤ２プロトコル用のリソース構成管理と、非アクセス層への信号化メッセージの提供を担う。
【０００４】
ＵＴＲＡＮでは、無線リソース管理をきわめて柔軟に実行できるため、携帯電話のアクティビティレベルに依存するサービス状態に応じてＲＲＣプロトコルのレベルを調整することが可能になる。ＵＴＲＡＮは、無線リソースの携帯電話への割り当てを、トラフィックにおける所要量に応じて常時適応することを処理の原則とする。ＲＲＣプロトコルには、スタンバイモード（アイドルモード）と接続モードという２つの動作モードがある。スタンバイモードは、携帯電話の電源は入っているがＵＴＲＡＮとの間にＲＲＣ接続が確立されていない状態を意味し、接続モードは、携帯電話とＵＴＲＡＮとの間にＲＲＣ接続が確立された状態を意味する。接続モードの状態は、ＣＥＬＬ＿ＤＣＨ、ＣＥＬＬ＿ＦＡＣＨ、ＣＥＬＬ＿ＰＣＨ、ＵＲＡ＿ＰＣＨの４つに大別される。
【０００５】
ＣＥＬＬ＿ＤＣＨ状態は、ＤＣＨ（専用チャネル）タイプの１つ以上の伝送チャネルに配分された無線リソースが、携帯電話に割り当てられることを特徴とする。この専用リソースは、リアルタイムトラフィック用と大量データ転送用に割り当てられる。
【０００６】
ＣＥＬＬ＿ＦＡＣＨ状態においては、携帯電話に専用無線リソースは割り当てられない。この状態では、共通転送チャネル（ＲＡＣＨ（ランダムアクセスチャネル）、ＦＡＣＨ（下りアクセスチャネル）、ＣＰＣＨ（共通アクセスチャネル））が端末と通信網間の伝送に使用される。ＣＥＬＬ＿ＦＡＣＨ状態は、リアルタイム処理の制約のない、少量データ転送向けに適応された状態である。
【０００７】
接続モードの場合、ＣＥＬＬ＿ＰＣＨ状態およびＵＲＡ＿ＰＣＨ状態ではＲＲＣプロトコルは休止状態となる。通信網は、トラフィックユーザが長時間不在であるとの通知を受け取ったときなどに、これらの状態への移行を指示する。これらの状態では、携帯電話は不連続受信（ＤＲＸ）モードとなる。ＤＲＸモードでの主な機能（アクティビティ）は、ページングチャネルの監視と、ＵＴＲＡＮにおけるモビリティ管理を含む。トラフィックユーザが通信を再開するためには、まずＲＲＣが再びＣＥＬＬ＿ＦＡＣＨ状態となり、ＵＴＲＡＮでの位置測定を更新する必要がある。
【０００８】
そのため、ＣＥＬＬ＿ＰＣＨ状態やＵＲＡ＿ＰＣＨ状態では、ダウンリンクのトラフィックユーザがトラフィックを再開するためには、ＵＴＲＡＮに入ったときにページングメッセージを携帯電話に送信し、ＣＥＬＬ＿ＦＡＣＨ状態に移行する必要がある。これにより携帯電話は、ＣＥＬＬ＿ＦＡＣＨ状態になり、位置測定の更新手順（セルアップデート）を実行し、同様の手順でページングに応答する。これが完了すると、トラフィックユーザは通信を再開することができる。
【０００９】
アップリンクのトラフィックの場合、携帯電話のＲＲＣ層はＣＥＬ＿ＦＡＣＨ状態に移行し、セルアップデート手順を開始し、同様の手順で回線トラフィックを再開する。これが完了すると、トラフィックは再開する。
【００１０】
３ＧＰＰ（ｔｈｉｒｄ  Ｇｅｎｅｒａｔｉｏｎ  Ｐａｒｔｎｅｒｓｈｉｐ  Ｇｒｏｕｐ）のＲＡＮ  ＷＧ（リリース５）グループの規格では、ＨＳＤＰＡ（高速ダウンリンクパケット接続）技術が定義されている。この技術は、異なるユーザに各チャネルのリソースを１秒間に５００回割り当てることによって、通信網を介して大量のデータを端末に転送することを可能にする。この動作は、パッケージ送信の合間を縫って、変調を使用して無線リンクの適応により決定された速度で実行される。
【００１１】
３ＧＰＰ（リリース６）グループの規格では、複数アドレスに同じコンテンツが確実に拡散されるようにする方策として、ＭＢＭＳ（Ｍｕｌｔｉ−Ｂｒｏａｄｃａｓｔ／Ｍｕｌｔｉｃａｓｔ  Ｓｅｒｖｉｃｅ）サービスが３Ｇ標準に統一されている。当初の構想では、端末がＭＢＭＳの拡散サービスを受信するのは、ＩＤＬＥ、ＣＥＬＬ＿ＰＣＨ、ＵＲＡ＿ＰＣＨ、およびＣＥＬＬ＿ＦＡＣＨ状態のときのみとなっていたが、その後の計画変更で、ＨＳＤＰＡ受信チェーンが同時に使用されないとき（すなわち、ＣＥＬＬ＿ＤＣＨ状態ではＲ９９  ＤＣＨ受信チェーンのみが使用されるとき）には、ＣＥＬＬ＿ＤＣＨ状態でもこれらのサービスを受信できるようになった。ＭＢＭＳリソースの場合はさらに、端末が、携帯端末が所在するセル内の他のダウンリンクチャネルを受信することも可能である。ＭＢＭＳサービスの伝送に使用されるチャネルは、静的チャネルであり、長年にわたり様々なタイプのデータの伝送に使用されてきた。これらのデータは、拡散ゾーン内に所在するすべての端末によって規則正しく受信される。
【００１２】
しかし、このゾーンに所在する端末のユーザが拡散データの受信を望まない場合もありうる。
【００１３】
その上、新しいＨＳＤＰＡ技術の導入に伴って、３ＧＰＰグループで、新規の制御チャネル（Ｆ−ＤＰＣＣＨ）、ＨＳＤＰＡチャネル上の新規の搬送波、音声伝送信号といった新たなリソースが定義された。そのため、端末がＣＥＬＬ＿ＤＣＨ状態のときにＨＳＤＰＡ受信チェーンが自動的に端末に割り当てられる確率はかなり高くなる。ＨＳＤＰＡの拡散チャネルは、ユーザ端末が通信網のセル内のダウンリンクチャネルを介して受信する特定の信号に対して強い干渉波を発生する。
【００１４】
通常、ＨＳＤＰＡチャネルはセル内の端末に割り当てられるが、動的に割り当てられるわけではない。これらのチャネルに対応する信号は、専用チャネルを介して端末に送信される。この信号は、端末のレベルに対して重大な負荷を発生し、発信／受信能力の低下を招く。
【００１５】
そのため、端末がユーザに固有な信号を受信する際の受信品質を高めるためには、この負荷を制限するのが望ましい。
【００１６】
本発明の目的は、端末がＭＢＭＳデータの受信に使用していたリソースを解放し、解放したリソースをＣＥＬＬ＿ＦＡＣＨ状態とＣＥＬＬ＿ＤＣＨ状態での自身のデータの受信用として使用できるようにすることにより、これらの状態での受信品質を向上させることである。
【００１７】
本発明の他の目的は、ユーザが受信する特定信号への干渉を除去するために、端末がＨＳＤＰＡとＭＢＭＳリソースとを利用できるようにすることにある。
【発明の開示】
【発明が解決しようとする課題】
【００１８】
本発明は、ＨＳＤＰＡ／ＭＢＭＳサービスを受信するためのリソースを備える携帯端末と携帯通信網の基地局との間のダウンリンク伝送チャネルで使用するための干渉除去方法を提供する。
【００１９】
本発明による干渉除去方法は以下のステップを備える。
携帯通信網が、携帯端末に対し、ダウンリンク伝送チャネル上で干渉を発生させる可能性があるチャネルのリストを通知するステップ。
端末が、リストから最大レベルの干渉を発生するチャネルを特定し、特定したチャネルの信号を用いて干渉を除去するステップ。
【００２０】
好ましくは、通信網は、リストを、ＨＳＤＰＡおよびＭＢＭＳサービスの専用チャネルを介して端末に送信する。
【００２１】
本発明の干渉除去方法によれば、
端末が、干渉のレベルを周期的に測定し、
測定したレベルを予め設定された閾値と比較し、
測定したレベルが前記閾値を下回る場合、前記携帯通信網内の地理的位置を考慮するため、最大レベルの干渉を発生するチャネルを再度特定する。
【００２２】
本発明は、さらに、携帯通信網において配信されるＨＳＤＰＡおよびＭＢＭサービスを受信するためのリソースを備える携帯端末を提供する。
【００２３】
本発明の携帯端末によれば、ＨＳＤＰＡおよびＭＢＭＳリソースが、ダウンリンク伝送チャネル上において端末で発生する干渉を除去する手段を含む。
【００２４】
本発明の携帯端末はさらに下記を備える。
干渉のレベルを周期的に測定する手段と、
測定したレベルを予め設定された閾値と比較する手段と、
測定したレベルが閾値を下回る場合は、通信網内の端末の地理的位置を考慮するため、最大レベルの干渉を発生するチャネルを再度特定する手段。
【発明の効果】
【００２５】
本発明によれば、端末がＭＢＭＳデータの受信に使用していたリソースを解放し、解放したリソースをＣＥＬＬ＿ＦＡＣＨ状態とＣＥＬＬ＿ＤＣＨ状態での自身のデータの受信用として使用できるようにすることにより、これらの状態での受信品質を向上させるができる。
【００２６】
また、本発明によれば、ユーザが受信する特定信号への干渉を除去するために、端末がＨＳＤＰＡとＭＢＭＳリソースとを利用できるようにする。
【発明を実施するための最良の形態】
【００２７】
本発明の他の特徴と利点は、以下の説明から明らかになるであろう。以下では、限定されない実施例としての本発明による処理が実施されるＨＳＤＰＡ端末の概要を示した添付図面を参照して説明する。
【００２８】
この説明では、ＨＳＤＰＡ／ＭＢＭＳサービス受信用のリソースを備えた携帯端末における、本発明による処理の一実施例を取り上げる。
【００２９】
ＣＤＭＡチャネルでは、全ユーザが同じ周波数帯域を使用し、コードによって識別される。ＵＭＴＳでは、１ユーザが携帯電話毎に１つのコードのみに影響を与える。これは、当該チャネルのリソースは１人のユーザによってのみ使用されるからである。一方、ＨＳＤＰＡ技術では、携帯電話毎に１４コードまで割り当てられるため、１チャネルのすべてのリソースが共有され、個々の携帯電話のニーズに応じて動的に割り当てられる。その伝送フローレートは、ＷＣＤＭＡダウンリンクの５ＭＨｚの周波数帯域上で最大８〜１０Ｍｂｐｓに達する。このフローレートの増大は、１’ＵＭＴＳが、「シンボル」（ボー）当たりの情報転送量が２ビットのＱＰＳＫ変調を使用するのに対し、ＨＳＤＰＡはシンボル当たり４ビットを伝送する１６ＱＡＭ変調を多用することから生じている。また、ＵＭＴＳでは、１つのパッケージを送信してから次のパッケージを送信するまでの間に１０〜２０ミリ秒が経過するが、ＨＳＤＰＡでは、この間隔は２ミリ秒まで短縮され、これによってトラフィックが加速されている。さらに、ＷＣＤＭＡでは、基地局は品質を一定に保つために発信強度を調整するが、ＨＳＤＰＡ技術では、基地局は伝送条件に合わせてフローレートを恒久的に適応させる。ＨＳＤＰＡ技術ではさらに、パッケージの支給についても新メカニズムが導入されている。一般的には、エラーパッケージが着信すると、受信機がそれを破棄し、再送信を要求する。ＨＳＤＰＡでは、受信機が再送信を要求するのは同じだが、パッケージを破棄せずにメモリに保持する点が異なる。原則として、不正なパッケージが着信した場合の、それ以降の手順は同じである。その目的は、複数のエラーパッケージの断片をつなぎ合わせて、エラーのないパッケージを再建することである。
【００３０】
図１は、ＨＳＤＰＡ端末の受信チェーン状態を示す概略図である。ＲＦ受信アンテナ２は、一端が第１のレイク（RAKE）受信機４と第２のレイク受信機６とに接続され、他端は干渉評価モジュール８に接続されている。第１のレイク受信機４は、減算器１２を介して第２のレイク受信機６の入力と通信する補正モジュール１０に接続されている。干渉評価モジュール８は、ＨＳＤＰＡおよびＭＢＭＳサービスの信号転送モジュール１４に接続されている。
【００３１】
実際の動作では、端末は、通信網のあるセルにおいて、信号転送モジュール１４を介してユーザの特定データを受信し、それに加えて、例えばＨＳＤＰＡまたはＭＢＭＳサービスの信号を受信する。これと並行して、通信網は端末に対し、ダウンリンク伝送チャネル上で干渉を発生させる可能性があるチャネルのコードを含むリストを送信する（矢印２０）。干渉評価モジュール８は、このリストを受信すると、リストに基づいて最大レベルの干渉を発生するチャネルを特定し、このチャネルのコードを第１のレイク受信機４に送信する。干渉のレベルが最大となるチャネルを介して受信された信号は、補正モジュール１０に送信される。補正モジュール１０は、受信した信号に補正係数を割り当てた上で、減算器１２を介してその信号を第２のレイク受信機６に送信する。第２のレイク受信機６は、出力信号を配信する（矢印３０）。この信号は、干渉評価モジュール８が定義した干渉信号が除外された状態の信号である。
【００３２】
端末の通信網における地理的位置を考慮するため、干渉評価モジュール８は、干渉のレベルを周期的に測定し、測定したレベルを予め設定されている閾値と比較し、端末の通信網内の新たな位置で測定された干渉のレベルが上記閾値を下回る場合は、最大レベルの干渉を発生するチャネルを再度決定する。
【００３３】
以上好ましい実施例をあげて本発明を説明したが、本発明は必ずしも、上記実施例に限定されるものでなく、その技術的思想の範囲内において様々に変形して実施することができる。
【図面の簡単な説明】
【００３４】
【図１】図１は、本発明の処理が実施されるＨＳＤＰＡ端末の受信チェーン状態の概要を示したブロック図である。
【符号の説明】
【００３５】
２：ＲＦ受信アンテナ
４：第１のレイク受信機
６：第２のレイク受信機
８：干渉評価モジュール
１０：補正モジュール
１２：減算器
１４：信号転送モジュール
【図１】
2009515374.tif 000003
【国際調査報告】
2009515374.tif 000004
2009515374.tif 000005